(57)【要約】【課題】被記録媒体の切断ユニットを備える記録装置において、前記切断ユニットによる前記被記録媒体の切断不良が発生することを抑制する。【解決手段】被記録媒体Ｐに対して移動して該被記録媒体Ｐを切断する切断ユニット１１を備え、切断ユニット１１は、該切断ユニットの移動により発生する音を収音する収音部１２を有することを特徴とする記録装置１。このような構成の記録装置１とすることによって、切断ユニット１１による被記録媒体Ｐの切断不良が発生することを、抑制することが可能になる。【選択図】図１
2015186835.tif 000002
【特許請求の範囲】
【請求項１】
被記録媒体に対して移動して該被記録媒体を切断する切断ユニットを備え、
前記切断ユニットは、該切断ユニットの移動により発生する音を収音する収音部を有することを特徴とする記録装置。
【請求項２】
請求項１に記載の記録装置において、
前記切断ユニットは、前記被記録媒体と切断する刃を有し、
前記収音部の受音部は、前記刃に向けて配置されていることを特徴とする記録装置。
【請求項３】
請求項１に記載の記録装置において、
前記切断ユニットの移動方向をガイドするガイド部を備え、
前記収音部の受音部は、前記ガイド部に向けて配置されていることを特徴とする記録装置。
【請求項４】
請求項１から３のいずれか１項に記載の記録装置において、
前記収音部は、シリコンマイクであることを特徴とする記録装置。
【請求項５】
請求項１から４のいずれか１項に記載の記録装置において、
前記収音部の収音結果に基づいて前記切断ユニットの移動を制御する制御部を備えることを特徴とする記録装置。
【請求項６】
請求項５に記載の記録装置において、
前記制御部は、基準音と前記収音部が収音した音とを比較して前記被記録媒体の切断不良が発生しているか否かを判断するとともに、前記切断不良が発生していると判断した場合に、前記切断ユニットの移動を停止するよう制御することを特徴とする記録装置。
【請求項７】
請求項６に記載の記録装置において、
前記制御部は、前記切断不良が発生していると判断した場合に、前記切断不良が発生していることを表す情報を出力することを特徴とする記録装置。
【請求項８】
請求項１から４のいずれか１項に記載の記録装置において、
前記収音部が収音した音を処理する処理部を備え、
該処理部は、第１の所定時間の間の繰り返しの前記切断ユニットの移動で発生した音を収音して求めた第１収音値と、第２の所定時間の間の繰り返しの前記切断ユニットの移動で発生した音を収音して求めた第２収音値と、を比較可能に出力する出力部を備えることを特徴とする記録装置。
【請求項９】
請求項１から４のいずれか１項に記載の記録装置において、
前記収音部が収音した音を処理する処理部を備え、
該処理部は、第１の所定時間の間の繰り返しの前記切断ユニットの移動で発生した音を収音して前記切断ユニットの移動方向における位置に対する音圧の値の関係を求めた第１音圧・位置グラフと、第２の所定時間の間の繰り返しの前記切断ユニットの移動で発生した音を収音して前記切断ユニットの移動方向における位置に対する音圧の値の関係を求めた第２音圧・位置グラフと、を比較可能に出力する出力部を備えることを特徴とする記録装置。
【発明の詳細な説明】
【技術分野】
【０００１】
本発明は、記録装置に関する。
【背景技術】
【０００２】
従来から、被記録媒体に画像を形成する記録装置が使用されている。このうち、記録装置の異常を記録装置内で発生する音により検出する記録装置が開示されている。  
例えば、特許文献１から３には、記録装置の異常を記録装置内で発生する音により検出する記録装置が開示されている。  
一方、近年、被記録媒体の切断ユニットを備える記録装置が使用されている。
【先行技術文献】
【特許文献】
【０００３】
【特許文献１】特開２００８−３０４８７２号公報
【特許文献２】特開２００６−２０１３１６号公報
【特許文献３】特開２００７−７９２６３号公報
【発明の概要】
【発明が解決しようとする課題】
【０００４】
被記録媒体の切断ユニットを備える記録装置においては、切断ユニットによる被記録媒体に対する切れ味が低下するなどし、被記録媒体の切断不良が発生する場合がある。  
しかしながら、記録装置の異常を記録装置内で発生する音により検出する検出部を備える記録装置であっても、検出部の構成や位置によっては被記録媒体の切断不良を検出できない場合があった。  
なお、特許文献１から３で開示される記録装置は、被記録媒体の切断ユニットを備える記録装置における被記録媒体の切断不良に関する記載がなく、被記録媒体の切断不良を検出できる構成にはなっていない。
【０００５】
そこで、本発明の目的は、被記録媒体の切断ユニットを備える記録装置において、前記切断ユニットによる前記被記録媒体の切断不良の発生を検出することである。
【課題を解決するための手段】
【０００６】
上記課題を解決するための本発明の第１の態様の記録装置は、被記録媒体に対して移動して該被記録媒体を切断する切断ユニットを備え、前記切断ユニットは、該切断ユニットの移動により発生する音を収音する収音部を有することを特徴とする。
【０００７】
本発明の第２の態様の記録装置は、前記第１の態様において、前記切断ユニットは、前記被記録媒体と切断する刃を有し、前記収音部の受音部は、前記刃に向けて配置されていることを特徴とする。
【０００８】
本発明の第３の態様の記録装置は、前記第１又は第２の態様において、前記切断ユニットの移動方向をガイドするガイド部を備え、前記収音部の受音部は、前記ガイド部に向けて配置されていることを特徴とする。
【０００９】
本発明の第４の態様の記録装置は、前記第１又は第２の態様において、前記収音部は、シリコンマイクであることを特徴とする。
【００１０】
本発明の第５の態様の記録装置は、前記第１から第４のいずれか１つの態様において、前記収音部の収音結果に基づいて前記切断ユニットの移動を制御する制御部を備えることを特徴とする。
【００１１】
本発明の第６の態様の記録装置は、前記第５の態様において、前記制御部は、基準音と前記収音部が収音した音とを比較して前記被記録媒体の切断不良が発生しているか否かを判断するとともに、前記切断不良が発生していると判断した場合に、前記切断ユニットの移動を停止するよう制御することを特徴とする。
【００１２】
本発明の第７の態様の記録装置は、前記第６の態様において、前記制御部は、前記切断不良が発生していると判断した場合に、前記切断不良が発生していることを表す情報を出力することを特徴とする。
【００１３】
本発明の第８の態様の記録装置は、前記第１から第４のいずれか１つの態様において、前記収音部が収音した音を処理する処理部を備え、該処理部は、第１の所定時間の間の繰り返しの前記切断ユニットの移動で発生した音を収音して求めた第１収音値と、第２の所定時間の間の繰り返しの前記切断ユニットの移動で発生した音を収音して求めた第２収音値と、を比較可能に出力する出力部を備えることを特徴とする。
【００１４】
本発明の第１０の態様の記録装置は、前記第１から第４のいずれか１つの態様において、前記収音部が収音した音を処理する処理部を備え、該処理部は、第１の所定時間の間の繰り返しの前記切断ユニットの移動で発生した音を収音して前記切断ユニットの移動方向における位置に対する音圧の値の関係を求めた第１音圧・位置グラフと、第２の所定時間の間の繰り返しの前記切断ユニットの移動で発生した音を収音して前記切断ユニットの移動方向における位置に対する音圧の値の関係を求めた第２音圧・位置グラフと、を比較可能に出力する出力部を備えることを特徴とする。
【発明の効果】
【００１５】
本発明によれば、被記録媒体の切断ユニットを備える記録装置において、前記切断ユニットによる前記被記録媒体の切断不良が発生することを抑制することが可能になる。
【図面の簡単な説明】
【００１６】
【図１】本発明の一実施例に係る記録装置を表す概略側面図。
【図２】本発明の一実施例に係る記録装置のブロック図。
【図３】本発明の一実施例に係る記録装置の被記録媒体の切断ユニットを表す正面図。
【図４】本発明の一実施例に係る記録装置の被記録媒体の切断ユニットを表す斜視図。
【図５】本発明の一実施例に係る記録装置の被記録媒体の切断ユニットを表す側面図。
【図６】本発明の一実施例に係る記録装置の収音結果の一例の概念を表すグラフ。
【図７】本発明の一実施例に係る記録装置の収音結果の一例の概念を表すグラフ。
【発明を実施するための形態】
【００１７】
以下に、本発明の一実施例に係る記録装置について、添付図面を参照して詳細に説明する。  
最初に、本実施例の記録装置１における概要について説明する。  
図１は本発明の一実施例に係る記録装置１を表す概略側面図である。
【００１８】
図１で表されるように、本実施例の記録装置１は、被記録媒体Ｐのセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。なお、セット部１４は回転方向Ｃに回転して被記録媒体Ｐを送出し、巻取部１５は回転方向Ｃに回転して被記録媒体Ｐを巻き取る。
【００１９】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００２０】
なお、本実施例では記録面１６が外側になるように巻かれているロール式の被記録媒体Ｐを使用しているので、被記録媒体Ｐをセット部１４から送出する際、セット部１４の回転軸は回転方向Ｃに回転する。一方、記録面１６が内側になるように巻かれているロール式の被記録媒体Ｐを使用する場合は、セット部１４の回転軸は回転方向Ｃとは逆回転して被記録媒体Ｐを送出することが可能である。  
そして、同様に、本実施例の巻取部１５は被記録媒体Ｐの記録面１６が外側になるように巻き取るので、巻取部１５の回転軸は回転方向Ｃに回転する。一方、記録面１６が内側になるように巻き取る場合は、巻取部１５の回転軸は回転方向Ｃとは逆回転して被記録媒体Ｐを巻き取ることが可能である。
【００２１】
本実施例の記録装置１のプラテン２にはヒーター６が設けられている。ヒーター６は、記録部としての記録ヘッド９により記録を実行する前に被記録媒体Ｐを加熱（所謂プレ加熱）するために設けられている。  
なお、本実施例の記録装置１は、ヒーター６を用いて、被記録媒体Ｐの記録面１６とは反対側の面１７側から被記録媒体Ｐをプレ加熱する構成となっている。しかしながら、例えば、被記録媒体Ｐの記録面１６側から赤外線を照射して被記録媒体Ｐを加熱可能なヒーターを用いて、記録面１６側から被記録媒体Ｐをプレ加熱する構成としてもよい。
【００２２】
また、本実施例の記録装置１は、プラテン２とプラテン３の間に、搬送方向Ａと交差する方向Ｂの回転軸を有し、被記録媒体Ｐの面１７に送り力を付与する駆動ローラー５が設けられている。そして、駆動ローラー５と対向する位置（上部）には方向Ｂの回転軸を有する従動ローラー７が設けられている。そして、ローラー対を構成する駆動ローラー５と従動ローラー７とで被記録媒体Ｐを挟持して被記録媒体Ｐを搬送することができる。すなわち、駆動ローラー５と従動ローラー７とで搬送部１８を構成している。ここで、従動ローラーとは、被記録媒体Ｐの搬送に伴って回転するローラーを意味する。  
また、被記録媒体Ｐを搬送方向Ａに搬送する際は、駆動ローラー５は回転方向Ｃに回転し、従動ローラー７は回転方向Ｃとは逆方向に回転する。そして、被記録媒体Ｐを搬送方向Ａとは逆方向に搬送する際は、駆動ローラー５は回転方向Ｃとは逆方向に回転し、従動ローラー７は回転方向Ｃに回転する。
【００２３】
また、本実施例の記録装置１は、プラテン３と対向する側に記録部としての記録ヘッド９が備えられている。記録装置１は、キャリッジ８を介して搬送方向Ａと交差する方向Ｂに記録ヘッド９を往復移動させながら、記録ヘッド９のインク吐出面から被記録媒体Ｐにインクを吐出させて所望の画像を形成する。
【００２４】
なお、本実施例の記録装置１は、往復移動しながら記録する記録ヘッド９を備えているが、インクを吐出するノズルを搬送方向Ａと交差する方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、被記録媒体Ｐの方向Ｂ全体をカバー可能なように設けられ、記録ヘッド又は被記録媒体Ｐの一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。
【００２５】
また、プラテン３と対向する位置であって記録ヘッド９の上方には、記録ヘッド９による記録領域に向けて電磁波を照射可能な加熱部としてのヒーター１０が設けられている。  
なお、本実施例のヒーター１０はプラテン３と対向する位置に設けられ、被記録媒体Ｐの記録面１６側の表面を３５℃から５０℃に加熱可能な赤外線ヒーターである。ここで、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２６】
また、本実施例の記録装置１は、記録ヘッド９の搬送方向Ａにおける下流側に、被記録媒体Ｐを切断可能な切断ユニットとしてのカッター１１が設けられている。カッター１１は、方向Ｂに移動することにより被記録媒体Ｐを方向Ｂに沿って切断することができる。そして、カッター１１には、シリコンマイク１２（図３、図４及び図５参照）が設けられている。
【００２７】
このように、本実施例の記録装置１は、被記録媒体Ｐに対して方向Ｂに移動して該被記録媒体Ｐを切断するカッター１１を備え、カッター１１は該カッター１１の移動により発生する音を収音するシリコンマイク１２を有している。  
このため、被記録媒体Ｐの切断不良音等の異常音の検出が可能になり、カッター１１による被記録媒体Ｐの切断不良の発生を検出可能としている。そのため、早期に切断不良を検出することができ、切断不良に気づかずに被記録媒体Ｐを無駄にすることを抑制できる。  
なお、被記録媒体Ｐの切断不良には、被記録媒体Ｐが所望の切断状態に切断されない場合のほか、被記録媒体Ｐを切断する際に被記録媒体Ｐに皺等を発生させる場合等も含まれる。
【００２８】
ここで、シリコンマイクとは、単結晶シリコンを素材として半導体微細加工技術で制作する小型のマイクロフォンである。  
なお、収音部としては、単一指向性の収音部のほうがノイズの影響を受けにくくなるので好ましいが、単一指向性の収音部に限定されない。
【００２９】
また、上記のように、本実施例の記録装置１は、収音部としてシリコンマイク１２を使用している。シリコンマイクは小型で収音効果が高いうえ、耐久性に優れ様々な環境下で長期にわたり使用可能である。このため、収音したい場所に近接して配置させているとともに、高精度且つ高耐久性の収音部としている。
【００３０】
また、プラテン３よりも搬送方向Ａにおける下流側のプラテン４と対向する位置には、電磁波を照射可能なヒーター１３を備えている。ヒーター１３は、本実施例の記録装置１で用いられるインクを乾燥させるため、被記録媒体Ｐの表面を６０℃から１２０℃に加熱可能な赤外線ヒーターであるが、このような乾燥装置に限定されない。例えば、乾燥装置として、赤外線ヒーター等の加熱装置のほか、ファン等の送風装置等を使用することもできる。
【００３１】
なお、本実施例の記録装置１は、図１で表されるように、駆動ローラー５と従動ローラー７で構成される搬送部１８が搬送方向Ａにおいて記録ヘッド９の上流側に設けられている。しかしながら、搬送部１８が搬送方向Ａにおいて記録ヘッド９を挟んで両側に設けられてもよい。搬送部１８が前記両側に設けられる構成では、前記両側において被記録媒体Ｐを挟持できるので、ジャムなどの搬送不良を効果的に抑制できる。  
なお、記録装置１の構成部材として、従来の記録装置に設けられる構成部材をさらに備えていてもよい。
【００３２】
次に、本実施例の記録装置１における電気的な構成について説明する。  
図２は、本実施例の記録装置１のブロック図である。  
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と、接続されている。
【００３３】
また、ＣＰＵ２１は、システムバス２２を介して、記録ヘッド９を駆動するためのヘッド駆動部２５と接続されている。  
また、ＣＰＵ２１は、システムバス２２を介して、ヒーター６、１０及び１３を駆動するためのヒーター駆動部２６と接続されている。  
また、ＣＰＵ２１は、システムバス２２を介して、キャリッジ８を方向Ｂに移動させるためのキャリッジモーター２８、セット部１４の駆動源である送出モーター２９、駆動ローラー５の駆動源である搬送モーター３０、巻取部１５の駆動源である巻取モーター３１、カッター１１を駆動する（カッター１１を方向Ｂに移動させる）ためのカッターモーター３３、を駆動させるためのモーター駆動部２７と接続されている。  
さらに、ＣＰＵ２１は、システムバス２２を介して、シリコンマイク１２、記録データ等を記録装置１に入力するＰＣ１９、と接続される入出力部３２と接続されている。
【００３４】
このような構成により、制御部２０は、シリコンマイク１２の収音結果に基づいてカッター１１の移動を制御している。例えば、カッター１１が移動する際に異常音が発生した場合にカッター１１の移動を停止させるなど、自動で、該カッター１１の移動を制御している。
【００３５】
詳細には、制御部２０は、基準音とシリコンマイク１２が収音した音とを比較して被記録媒体Ｐの切断不良が発生しているか否かを判断するとともに、前記切断不良が発生していると判断した場合に、カッター１１の移動を停止するよう制御している。  
このため、カッター１１の移動を続行させていた場合には被記録媒体Ｐの切断不良により被記録媒体Ｐ等に損傷を与えていた場合であっても、被記録媒体Ｐ等の損傷を抑制することができる。  
ここで、「基準音」とは、カッター１１の移動が正常なときのシリコンマイク１２で収音した際の音であり、予めＲＯＭ２３に格納されているものである。
【００３６】
被記録媒体Ｐの切断不良が発生しているか否かの判断に関して、収音結果の一例の概念を表すグラフである図６を用いて詳細に説明する。図６（Ａ）は記録装置１の使用開始直後の各周波数に対する音圧の概念を表すグラフであり、図６（Ｂ）は記録装置１を所定期間使用した後の各周波数に対する音圧の概念を表すグラフであり、図６（Ｃ）は記録装置１をさらに所定期間使用した後の各周波数に対する音圧の概念を表すグラフである。  
図６（Ａ）〜図６（Ｃ）を比較すると、所定周波数Ｆｓにおいて音圧のピーク値ＳＰ０、ＳＰ１、ＳＰ２があり、その値が図６（Ａ）、図６（Ｂ）、図６（Ｃ）と進むにつれて大きくなっている。
【００３７】
そこで、本実施例の記録装置１では、所定周波数Ｆｓにおける音圧の値で被記録媒体Ｐの切断不良が発生しているか否かを判断している。例えば、図６（Ｂ）の所定周波数Ｆｓにおける音圧の値ＳＰ１では、被記録媒体Ｐの切断不良が発生していないと判断し、図６（Ｃ）の所定周波数Ｆｓにおける音圧の値ＳＰ２では、被記録媒体Ｐの切断不良が発生していると判断する。  
ただし、このような判断方法に限定されず、例えば、シリコンマイク１２の全検出周波数領域において、所定値以上の音圧を検出した場合に被記録媒体Ｐの切断不良が発生していると判断する判断方法としてもよい。
【００３８】
また、本実施例の制御部２０は、被記録媒体Ｐの切断不良が発生していると判断した場合に、被記録媒体Ｐの切断不良が発生していることを表す情報を出力する。  
このため、外部の表示装置であるＰＣ１９に該情報を出力してＰＣ１９のモニターに該情報を表示させることにより、ユーザーに被記録媒体Ｐの切断不良が発生していることを報知することができる構成になっている。
【００３９】
次に、本実施例のカッター１１におけるシリコンマイク１２の取付け位置について説明する。  
図３は本実施例のカッター１１を表す正面図であり、図４は本実施例のカッター１１を表す斜視図であり、図５は本実施例のカッター１１を表す側面図である。
【００４０】
本実施例のカッター３３は、図１０から図１２で表されるように、対向する位置に丸刃３４及び３５を備えている。そして、この対向する部分に被記録媒体Ｐが挟まれるようにカッター１１を配置させてガイド部としてのガイド軸３６に沿って方向Ｂに移動（摺動）させることにより、搬送方向Ａと交差する方向Ｂに被記録媒体Ｐを切断することが可能に構成されている。  
シリコンマイク１２は、丸刃３４の近傍に設けられており、このような構成により、被記録媒体Ｐの切断音やガイド軸３６に対する摺動音などを収音可能である。
【００４１】
ここで、シリコンマイク１２の受音部は丸刃３４に向けて配置されている。すなわち、本実施例のカッター１１は被記録媒体Ｐと接触する丸刃３４を有し、シリコンマイク１２の受音部は丸刃３４に向けて配置されている。  
このため、カッター１１が移動する際に被記録媒体Ｐと丸刃３４及び３５との接触部分において発生する音を効果的に収音可能になり、カッター１１の移動の際の異常、即ち被記録媒体Ｐの切断不良を効果的に検出することができる構成になっている。
【００４２】
なお、本実施例の記録装置１はカッター１１の移動方向をガイドするガイド軸３６を備えているが、シリコンマイク１２の受音部をガイド軸３６に向けて配置してもよい。  
このような構成とすることによって、カッター１１が移動する際に発生するカッター１１のガイド軸３６に対する摺動音を効果的に収音可能になり、カッター１１の移動の際の異常、即ち被記録媒体Ｐの切断不良を効果的に検出することができるためである。
【００４３】
本実施例の記録装置１は、このように、カッター１１にシリコンマイク１２を備えている。このため、シリコンマイク１２は、カッター１１が移動する際に被記録媒体Ｐと丸刃３４及び３５との接触部分において発生する音のほか、カッター１１の摺動音、カッター１１を移動させるベルト３７の弛みに起因する異音、ベルト３７と接続されたカッターモーター３３の異音なども収音することができる。このような構成により、カッター１１の摺動音、ベルト３７の弛みに起因する異音、カッターモーター３３の異音などに基づく被記録媒体Ｐの切断不良も検出可能である。
【００４４】
また、制御部２０に、シリコンマイク１２が収音した音を処理させ、制御部２０に、第１の所定時間の間の繰り返しのカッター１１の移動で発生した音を収音して求めた第１収音値（例えば第１の所定時間の間の平均値）と、第２の所定時間の間の繰り返しのカッター１１の移動で発生した音を収音して求めた第２収音値（例えば第２の所定時間の間の平均値）と、を比較可能に出力させてもよい。  
ここで、制御部２０は、所定時間の間の繰り返しのカッター１１の移動で発生した全移動の音を使って収音値を求めることに限定されず、例えば数回置きの音を使って収音値を求めてもよい。第１収音値を数回置きで求めた場合は、第２収音値も同様に数回置きで求めるようにする。  
第１の所定時間と第２の所定時間は前後に連続する関係に限定されず、適宜の時間又は長期間を置いた時間同士の関係にしてもよい。  
「比較可能に出力する」とは、収音値を表示画面に表示する、印刷する等、ユーザーが比較できるものであればどのような出力の仕方であってもよい。  
このような構成とすることで、ユーザーにカッター１１の劣化状態を詳細に把握させることが可能になる。
【００４５】
図７は、収音結果の一例の概念を表すグラフであるとともに、制御部２０によりＰＣ１９に出力されＰＣ１９のモニターに表示された、第１音圧・位置グラフと第２音圧・位置グラフであり、縦軸が音圧を、横軸が方向Ｂにおける位置を表している。  
なお、図７（Ａ）は被記録媒体Ｐの切断不良が発生していない場合の第１音圧・位置グラフであり、図１０（Ｂ）は被記録媒体Ｐの切断不良が発生している場合の第２音圧・位置グラフである。
【００４６】
図７（Ａ）では方向Ｂにおけるいずれの位置においても音圧が略一定であるのに対し、図７（Ｂ）では音圧にピークが出ている。  
すなわち、図７（Ｂ）では該ピークが出る位置に対応してガイド部３６に傷や変形が発生するなどして、カッター１１の移動に不具合が出ている。  
このようなグラフを表示することにより、本実施例の記録装置１は、ユーザーにカッター１１の劣化状態を報知させている。
【００４７】
また、制御部２０に、シリコンマイク１２が収音した音を処理させ、制御部２０に、第１の所定時間の間の繰り返しのカッター１１の移動で発生した音を収音して方向Ｂにおける位置に対する音圧の値の関係を求めた第１音圧・位置グラフと、第２の所定時間の間の繰り返しのカッター１１の移動で発生した音を収音して方向Ｂにおける位置に対する音圧の値の関係を求めた第２音圧・位置グラフと、を比較可能に出力させてもよい。  
ここで、制御部２０は、所定時間の間の繰り返しのカッター１１の移動で発生した全移動の音を使って音圧・位置グラフを求めることに限定されず、例えば数回置きの音を使って音圧・位置グラフを求めてもよい。第１音圧・位置グラフを数回置きで求めた場合は、第２音圧・位置グラフも同様に数回置きで求めるようにする。  
第１の所定時間と第２の所定時間は前後に連続する関係に限定されず、適宜の時間又は長期間を置いた時間同士の関係にしてもよい。  
「比較可能に出力する」とは、前記音圧・位置グラフを表示画面に表示する、印刷する等、ユーザーが比較できるものであればどのような出力の仕方であってもよい。  
このような構成とすることで、ユーザーにカッター１１の劣化状態を詳細に把握させることが可能になる。
【００４８】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４９】
本発明の第１の態様の記録装置１は、被記録媒体Ｐに対して移動して該被記録媒体Ｐを切断する切断ユニット１１を備え、切断ユニット１１は、該切断ユニット１１の移動により発生する音を収音する収音部１２を有することを特徴とする。
【００５０】
本態様によれば、切断ユニット１１は、該切断ユニット１１の移動により発生する音を収音する収音部１２を有する。このため、被記録媒体Ｐの切断不良音等の異常音の検出が可能になり、切断ユニット１１による被記録媒体Ｐの切断不良の発生を検出することができる。  
なお、「被記録媒体Ｐの切断不良」とは、被記録媒体Ｐが所望の切断状態に切断されない場合のほか、被記録媒体Ｐを切断する際に被記録媒体Ｐに皺等を発生させる場合等も含まれる。  
ここで、「収音部」とは、音を受音部で受けて電気信号に変換するものを意味する。「受音部」とは、音（音圧）を受けて振動する部分を意味する。なお、「音」は人間の可聴領域の周波数のものに限らず非可聴領域の周波数も含む。
【００５１】
本発明の第２の態様の記録装置１は、前記第１の態様において、前記切断ユニットは、前記被記録媒体と切断する刃を有し、前記収音部の受音部は、前記刃に向けて配置されていることを特徴とする。
【００５２】
本態様によれば、切断ユニット１１は、被記録媒体Ｐと接触する刃３４及び３５を有し、収音部１２の受音部は、刃３４に向けて配置されている。このため、切断ユニット１１が移動する際に被記録媒体Ｐと刃３４及び３５との接触部分において発生する音を効果的に収音可能になり、該移動の際の異常、即ち被記録媒体Ｐの切断不良を効果的に検出することができる。
【００５３】
本発明の第３の態様の記録装置１は、前記第１又は第２の態様において、切断ユニット１１の移動方向をガイドするガイド部３６を備え、収音部１２の受音部は、ガイド部３６に向けて配置されていることを特徴とする。
【００５４】
本態様によれば、切断ユニット１１の移動方向をガイドするガイド部３６を備え、収音部１２の受音部は、ガイド部３６に向けて配置されている。このため、切断ユニット１１が移動する際に発生する切断ユニット１１のガイド部３６に対する摺動音を効果的に収音可能になり、該移動の際の異常、即ち被記録媒体Ｐの切断不良を効果的に検出することができる。
【００５５】
本発明の第４の態様の記録装置１は、前記第１又は第２の態様において、収音部１２は、シリコンマイクであることを特徴とする。
【００５６】
本態様によれば、収音部１２はシリコンマイクである。シリコンマイクは小型で収音効果が高いうえ、耐久性に優れ様々な環境下で長期にわたり使用可能である。このため、収音したい場所に近接して配置させることができるとともに、高精度且つ高耐久性の収音部とすることができる。
【００５７】
本発明の第５の態様の記録装置１は、前記第１から第４のいずれか１つの態様において、収音部１２の収音結果に基づいて切断ユニット１１の移動を制御する制御部２０を備えることを特徴とする。
【００５８】
本態様によれば、収音部１２の収音結果に基づいて切断ユニット１１の移動を制御する制御部２０を備える。このため、切断ユニット１１が移動する際に異常音が発生した場合に切断ユニット１１の移動を停止させるなど、自動で、該切断ユニット１１の移動を制御することができる。
【００５９】
本発明の第６の態様の記録装置１は、前記第５の態様において、制御部２０は、基準音と収音部１２が収音した音とを比較して被記録媒体Ｐの切断不良が発生しているか否かを判断するとともに、前記切断不良が発生していると判断した場合に、切断ユニット１１の移動を停止するよう制御することを特徴とする。
【００６０】
本態様によれば、制御部２０は、基準音と収音部１２が収音した音とを比較して被記録媒体Ｐの切断不良が発生しているか否かを判断するとともに、前記切断不良が発生していると判断した場合に、切断ユニット１１の移動を停止するよう制御する。このため、切断ユニット１１の移動を続行させていた場合には被記録媒体Ｐの切断不良により被記録媒体Ｐ等に損傷を与えていた場合であっても、被記録媒体Ｐ等の損傷を抑制することができる。  
ここで、「基準音」とは、切断ユニット１１の移動が正常なときの収音部１２で収音した際の音を意味し、例えば、予め記録装置１に格納されたものである。
【００６１】
本発明の第７の態様の記録装置１は、前記第６の態様において、制御部２０は、前記切断不良が発生していると判断した場合に、前記切断不良が発生していることを表す情報を出力することを特徴とする。
【００６２】
本態様によれば、制御部２０は、前記切断不良が発生していると判断した場合に、前記切断不良が発生していることを表す情報を出力する。このため、外部の表示装置１９などに前記情報を出力して表示させることにより、ユーザーに切断不良が発生していることを報知することができる。
【００６３】
本発明の第８の態様の記録装置１は、前記第１から第４のいずれか１つの態様において、収音部１２が収音した音を処理する処理部２０を備え、該処理部２０は、第１の所定時間の間の繰り返しの切断ユニット１１の移動で発生した音を収音して求めた第１収音値と、第２の所定時間の間の繰り返しの切断ユニット１１の移動で発生した音を収音して求めた第２収音値と、を比較可能に出力する出力部２０を備えることを特徴とする。本態様によれば、ユーザーに切断ユニット１１の劣化状態を詳細に把握させることが可能になる。
【００６４】
本発明の第９の態様の記録装置１は、前記第１から第４のいずれか１つの態様において、収音部１２が収音した音を処理する処理部２０を備え、該処理部２０は、第１の所定時間の間の繰り返しの切断ユニット１１の移動で発生した音を収音して切断ユニット１１の移動方向における位置に対する音圧の値の関係を求めた第１音圧・位置グラフと、第２の所定時間の間の繰り返しの切断ユニット１１の移動で発生した音を収音して切断ユニット１１の移動方向における位置に対する音圧の値の関係を求めた第２音圧・位置グラフと、を比較可能に出力する出力部２０を備えることを特徴とする。本態様によれば、ユーザーに切断ユニット１１の劣化状態を詳細に把握させることが可能になる。
【符号の説明】
【００６５】
１  記録装置、２  プラテン、３  プラテン、４  プラテン、５  駆動ローラー、
６  ヒーター、７  従動ローラー、８  キャリッジ、９  記録ヘッド、
１０  ヒーター、１１カッター（切断ユニット）、１２  シリコンマイク（収音部）、
１３  ヒーター、１４  セット部、１５  巻取部、１６  被記録媒体Ｐの記録面、
１７  被記録媒体Ｐの記録面とは反対側の面、１８  搬送部、１９  ＰＣ、
２０  制御部（出力部、処理部）、２１  ＣＰＵ、２２  システムバス、
２３  ＲＯＭ、２４  ＲＡＭ、２５  ヘッド駆動部、２６  ヒーター駆動部、
２７  モーター駆動部、２８  キャリッジモーター、２９  送出モーター、
３０  搬送モーター、３１  巻取モーター、３２  入出力部、
３３  カッターモーター、３４  丸刃（刃）、３５  丸刃（刃）、
３６  ガイド軸（ガイド部）、３７  ベルト、Ｐ  被記録媒体
【図１】
2015186835.tif 000003
【図２】
2015186835.tif 000004
【図３】
2015186835.tif 000005
【図４】
2015186835.tif 000006
【図５】
2015186835.tif 000007
【図６】
2015186835.tif 000008
【図７】
2015186835.tif 000009